(57)【要約】【課題】吊り下げ対象のレベル調整をより容易なものとする吊り下げ具を、構造の複雑化を招くことなく、提供する。【解決手段】弾性変形可能に構成された第一フック部１０と、第二フック部１１と、第一フック部１０と第二フック部１１との間にあって両者を連接させる調整部１２とを有している。第一フック部１０は、フック基部１０ａを調整部１２の一端部１２’に一体に連接させると共に、このフック基部１０ａよりもフック端１０ｂを第二フック部１１側に位置させ且つこのフック端１０ｂ側に調整部１２への引っ掛け部１０ｃを有している。調整部１２は、引っ掛け部１０ｃに対する被引っ掛け部１２ａを多段に備えている。【選択図】図３
2012149667.tif 000002
【特許請求の範囲】
【請求項１】
弾性変形可能に構成された第一フック部と、
第二フック部と、
前記第一フック部と第二フック部との間にあって両者を連接させる調整部とを有しており、
前記第一フック部は、フック基部を調整部の一端部に一体に連接させると共に、このフック基部よりもフック端を第二フック部側に位置させ且つこのフック端側に調整部への引っ掛け部を有しており、
前記調整部は、前記引っ掛け部に対する被引っ掛け部を多段に備えていることを特徴とする吊り下げ具。
【請求項２】
調整部は、複数の湾曲部又は屈曲部を、隣り合う湾曲部又は屈曲部との間に上下に間隔を開けて備えて、この隣り合う湾曲部又は屈曲部間を被引っ掛け部としてなることを特徴とする請求項１に記載の吊り下げ具。
【請求項３】
第一フック部は、一端部をフック基部とし他端部をフック端とする略Ｕ字状をなす主体部と、
この主体部の他端部から側方に延び出してこの主体部の他端部との間に引っ掛け部を形成させる延長部とを有しており、
この延長部はその端末側が幅広になるように構成されていることを特徴とする請求項２に記載の吊り下げ具。
【請求項４】
第二フック部の表面に滑り止め手段が設けられていることを特徴とする請求項１〜請求項３のいずれか１項に記載の吊り下げ具。
【請求項５】
合成樹脂材料により、第一フック部、第二フック部及び調整部を一体に成形させてなることを特徴とする請求項１〜請求項４のいずれか１項に記載の吊り下げ具。
【請求項６】
第二フック部は、フック基部を調整部の他端部に一体に連接させると共に、そのフック端側に調整部への引っ掛け部を有していることを特徴とする請求項１〜請求項５のいずれか１項に記載の吊り下げ具。
【発明の詳細な説明】
【技術分野】
【０００１】
この発明は、吊り下げ対象と、その支持対象との間に介在して、この吊り下げ対象をレベル調整可能に支持対象に吊り下げさせるようにする吊り下げ具の改良に関する。
【背景技術】
【０００２】
キャビネット内に調理器具をレベル調整可能に吊り下げる構造として、調理器具の取っ手に係止するフック部を備えた吊り具におけるこのフック部を上下方向に螺進退可能にしたものがある。（特許文献１参照）
【先行技術文献】
【特許文献】
【０００３】
【特許文献１】特開２０００−１３５１２６号公報
【発明の概要】
【発明が解決しようとする課題】
【０００４】
この発明が解決しようとする主たる問題点は、吊り下げ対象のレベル調整をより容易なものとする吊り下げ具を、構造の複雑化を招くことなく、提供する点にある。
【課題を解決するための手段】
【０００５】
前記課題を達成するために、この発明にあっては、吊り具を、弾性変形可能に構成された第一フック部と、
第二フック部と、
前記第一フック部と第二フック部との間にあって両者を連接させる調整部とを有しており、
前記第一フック部は、フック基部を調整部の一端部に一体に連接させると共に、このフック基部よりもフック端を第二フック部側に位置させ且つこのフック端側に調整部への引っ掛け部を有しており、
前記調整部は、前記引っ掛け部に対する被引っ掛け部を多段に備えているものとした。
【０００６】
第一フック部のフック端側の調整部への引っ掛けにより、調整部と第一フック部とによってループが形成される。この引っ掛け部が引っ掛けられる被引っ掛け部を第一フック部のフック基部との距離を小さくする被引っ掛け部にすればするほど、第一フック部のフック基部とフック端との距離は小さくなり第一フック部はその曲率を小さくする向きに弾性変形される。第一フック部の弾性変形量が大きくなればなるほどそのフック基部と湾曲中心との間に位置される箇所は第二フック部の側から離れる向きに移動される。これにより、第一フック部と第二フック部との間の距離を変えることができ、この距離の変更により吊り下げ具を介して吊り下げられている吊り下げ対象のレベル調整がなされる。
【０００７】
前記調整部を、複数の湾曲部又は屈曲部を、隣り合う湾曲部又は屈曲部との間に上下に間隔を開けて備えて、この隣り合う湾曲部又は屈曲部間を被引っ掛け部としてなるものとすることが、好ましい態様の一つである。この場合に、第一フック部を、一端部をフック基部とし他端部をフック端とする略Ｕ字状をなす主体部と、この主体部の他端部から側方に延び出してこの主体部の他端部との間に引っ掛け部を形成させる延長部とを有したものとし、さらに、この延長部はその端末側が幅広になるように構成されているものとすれば、被引っ掛け部に引っ掛け部を掛合させた状態を安定的に維持させることができる。
【０００８】
また、第二フック部の表面に滑り止め手段を設けさせておけば、第二フック部への典型的には吊り下げ対象の吊り下げ状態をより安定的に維持することができる。
【０００９】
また、合成樹脂材料により、第一フック部、第二フック部及び調整部を一体に成形させるようにしておけば、第一フック部に弾性変形特性を適切に備えさせた吊り下げ具を容易に提供することができる。
【００１０】
前記第二フック部を、フック基部を調整部の他端部に一体に連接させると共に、そのフック端側に調整部への引っ掛け部を有しているものとすれば、第二フック部と調整部とによってもループを形成させることができる。
【発明の効果】
【００１１】
この発明にかかる吊り下げ具は、第一フック部と調整部との掛合位置の変更により吊り下げ対象のレベル調整を容易になすことができる。また、かかる吊り下げ具の構造は簡素であり、したがって低廉に提供することができる。
【図面の簡単な説明】
【００１２】
【図１】図１は実施の形態にかかる吊り下げ具の斜視図である。
【図２】図２は図１の吊り下げ具を含んで構成される収納構造の要部斜視構成図である。
【図３】図１の吊り下げ具の使用状態を示した側面図である。
【図４】図１の吊り下げ具の使用状態を示した側面図であり、図３よりも第一フック部と第二フック部との間の距離を大きくした状態を示している。
【図５】図１の吊り下げ具の第二フック部にさらに引っ掛け部を形成させた例を示した斜視図である。
【発明を実施するための形態】
【００１３】
以下、図１〜図５に基づいて、この発明の典型的な実施の形態について説明する。この実施の形態にかかる吊り下げ具１は、吊り下げ対象２と、その支持対象３との間に介在して、この吊り下げ対象２をレベル調整可能に支持対象３に吊り下げさせるようにするものである。
【００１４】
図２は、食器２ａを吊り下げ状態で収納するようにした食器収納構造を、かかる吊り下げ具１を含んで構成させた例を示している。図中符号３ａは、前記支持対象３となるバーであり、収納空間を構成する一対の側壁３ｃ、３ｃの上部間に架設されている。図示の例では、かかるバー３ａは山部と谷部３ｂを交互に備えた蛇行状に成形されており、その谷部３ｂに吊り下げ具１を構成する後述の第一フック部１０が引っ掛けられるようになっている。図中符号２ｂは、食器２ａを抱持するシート体である。シート体２ｂの左右の上端部にそれぞれ吊り下げ具１が備えられ、この左右の吊り下げ具１、１の第一フック部１０をそれぞれ前記バー３ａに引っ掛けることでこのシート体２ｂ内に抱持された食器２ａが吊り下げ状態で収納される。すなわち、この例では、かかるシート体２ｂが前記吊り下げ対象２となっている。シート体２ｂの上端部には吊り下げ具１の後述の第二フック部１１を引っ掛け可能な管状部２ｃが形成されており、吊り下げ具１はこの管状部２ｃにかかる第二フック部１１を挿通してシート体２ｂの上端部に備えられるようになっている。この食器収納構造においては、吊り下げ具１を構成する第一フック部１０と後述する調整部１２との掛合位置を後述するように変えることで、吊り下げられたシート体２ｂの下端２ｄと収納空間を構成する底壁３ｄとの間に、シート体２ｂの大きさやこれに抱持される食器２ａの大きさや数や抱持態様などにかかわらず、所望の間隔を確保できるようになっている。すなわち、この食器収納構造では、前記掛合位置の変更により、吊り下げ対象２となるシート体２ｂの下端２ｄのレベルを調整できるようになっている。
【００１５】
かかる吊り下げ具１は、弾性変形可能に構成された第一フック部１０と、第二フック部１１と、この第一フック部１０と第二フック部１１との間にあって両者を連接させる調整部１２とを有している。この実施の形態にあっては、合成樹脂材料により、第一フック部１０、第二フック部１１及び調整部１２を一体に成形させて、吊り下げ具１を構成させており、第一フック部１０に弾性変形特性を適切に備えさせた吊り下げ具１を容易に提供できるようになっている。図示の例では、かかる吊り下げ具１は、帯状体に複数箇所においてその幅方向に湾曲中心線を沿わせた湾曲を施すようにして、成形されている。図示の例では、第二フック部１１及び調整部１２での厚さに比べて第一フック部１０はやや薄くなっており、これにより第一フック部１０は前記弾性変形特性を備えるようになっている。第一フック部１０へのかかる弾性変形特性の付与は、例えば、かかる第一フック部１０を軟質の合成樹脂により、第二フック部１１及び調整部１２を硬質の合成樹脂により、吊り下げ具１を二色成形により成形することでも可能である。なお、かかる吊り下げ具１は金属材料から構成することも可能であり、また、金属材料と合成樹脂材料とを組み合わせることにより構成することも可能である。
【００１６】
前記第一フック部１０は、フック基部１０ａを調整部１２の一端部１２’に一体に連接させると共に、このフック基部１０ａよりもフック端１０ｂを第二フック部１１側に位置させ且つこのフック端１０ｂ側に調整部１２への引っ掛け部１０ｃを有している。この実施の形態にあっては、かかる第一フック部１０は、一端部をフック基部１０ａとし他端部１０ｄ’をフック端１０ｂとする略Ｕ字状をなす主体部１０ｄと、この主体部１０ｄの他端部１０ｄ’から側方に延び出してこの主体部１０ｄの他端部１０ｄ’との間に引っ掛け部１０ｃを形成させる延長部１０ｅとを有している。また、この延長部１０ｅはその端末側が幅広になるように構成されている。
【００１７】
一方、前記調整部１２は、前記引っ掛け部１０ｃに対する被引っ掛け部１２ａを多段に備えている。
【００１８】
この実施の形態にあっては、かかる調整部１２は、複数の湾曲部１２ｂを、隣り合う湾曲部１２ｂとの間に上下に間隔を開けて備えて、この隣り合う湾曲部１２ｂ間を被引っ掛け部１２ａとしてなる。図示の例では、かかる調整部１２は、その一端部１２’と他端部１２”とを結ぶ仮想の中心線ｘ（図３）を挟んだ一方側ｘ’と他方側ｘ”とに交互に湾曲部１２ｂを位置させるように蛇行状に成形されている。
【００１９】
第一フック部１０の主体部１０ｄは、前記仮想の中心線ｘを挟んだ一方側ｘ’にあって、この仮想の中心線ｘの側を湾曲内側とするように形成されている。第一フック部１０の延長部１０ｅはこの主体部１０ｄの他端部１０ｄ’との間に水平方向に間隔を形成させるようにして、前記仮想の中心線ｘから離れる方向に延びだしている。すなわち、第一フック部１０の主体部１０ｄは側面視の状態においてＵ字状を呈し、第一フック部１０の延長部１０ｅは主体部１０ｄの他端部１０ｄ’とにより平面視の状態においてＵ字状を呈する引っ掛け部１０ｃを形成させている。
【００２０】
図示の例では、被引っ掛け部１２ａは調整部１２に上下三段に形成されている。図示の例では、前記仮想の中心線ｘを挟んだ他方側ｘ”から、被引っ掛け部１２ａに引っ掛け部１０ｃを入り込ませることにより、第一フック部１０のフック端１０ｂ側が調整部１２に係脱可能に引っ掛けられるようになっている。
【００２１】
かかる第一フック部１０のフック端１０ｂ側の調整部１２への引っ掛けにより、調整部１２と第一フック部１０とによってループＬが形成される。この引っ掛け部１０ｃが引っ掛けられる被引っ掛け部１２ａを第一フック部１０のフック基部１０ａとの距離を小さくする被引っ掛け部１２ａにすればするほど、第一フック部１０のフック基部１０ａとフック端１０ｂとの距離は小さくなり第一フック部１０はその曲率を小さくする向きに弾性変形される。第一フック部１０の弾性変形量が大きくなればなるほどそのフック基部１０ａと湾曲中心１０ｆとの間に位置される箇所は第二フック部１１の側から離れる向きに、図３に示される例では上方に、移動される。（図４）これにより、第一フック部１０と第二フック部１１との間の距離を変えることができ、この距離の変更により吊り下げ具１を介して吊り下げられている吊り下げ対象２のレベル調整がなされる。
【００２２】
また、この実施の形態にあっては、第一フック部１０の前記延長部１０ｅはその端末側が幅広になるように構成されている。これにより、この実施の形態にあっては、被引っ掛け部１２ａに引っ掛け部１０ｃを掛合させた状態が安定的に維持されるようになっている。
【００２３】
前記第二フック部１１は、フック基部１１ａを調整部１２の他端部１２”に一体に連接させると共に、前記仮想の中心線ｘの他方側ｘ”に湾曲部を位置させ、かつ、フック端１１ｂをフック基部１１ａの下方であって前記仮想の中心線ｘの一方側ｘ’に位置させるように形成されている。
【００２４】
この第二フック部１１の表面に滑り止め手段を設けておけば、第二フック部１１への典型的には吊り下げ対象２の吊り下げ状態をより安定的に維持することができる。例えば、第二フック部１１にシボ加工などを施してその表面を粗面とすることにより、第二フック部１１に滑り止め手段を備えさせることができる。
【００２５】
図５は、第二フック部１１のフック端１１ｂ側に、さらに調整部１２への引っ掛け部１１ｃを備えさせた例を示している。すなわち、この例では、第二フック部１１のフック端１１ｂから先にこのフック端１１ｂから前記フック基部１１ａに向けて延びると共に、途中から湾曲して前記仮想の中心線ｘから離れる方向に延びる延長部１１ｄを形成し、この延長部１１ｄの湾曲箇所を調整部１２の最下段の被引っ掛け部１２ａに引っ掛け可能とした引っ掛け部１１ｃとしている。この延長部１１ｄは、第一フック部１０と同様に弾性変形可能に構成される。このようにした場合、第二フック部１１と調整部１２とによってループＬを形成させることができる。
【００２６】
なお、図示の例とは逆に、この実施の形態にかかる吊り下げ具１は、第二フック部１１を前記支持対象３に引っ掛け、第一フック部１０を前記吊り下げ対象２に引っ掛けるようにして用いることもできる。
【符号の説明】
【００２７】
１０  第一フック部
１０ａ  フック基部
１０ｂ  フック端
１０ｃ  引っ掛け部
１１  第二フック部
１２  調整部
１２’  一端部
１２ａ  被引っ掛け部
【図１】
2012149667.tif 000003
【図２】
2012149667.tif 000004
【図３】
2012149667.tif 000005
【図４】
2012149667.tif 000006
【図５】
2012149667.tif 000007